(57)【要約】【課題】簡易な構造によって既設のエアーコンディショナーの冷却などの効率を高め、使用する電力を削減することが可能な手段を提供する。【解決手段】エアーコンディショナー補助器具１は、液体を受ける容器であるトレイ１１と、紐状体である吊り下げ紐１２と、吊り下げ紐１２の前後方向の移動を抑制するストッパー１３と、トレイ１１を支持する支持具１４とを備えている。トレイ１１と、吊り下げ紐１２と、支持具１４のアセンブリを、エアーコンディショナーＡに吊り下げる。この際、吊り下げ紐１２がエアーコンディショナーＡの左側面上および右側面上に配置されたストッパー１３のフック１３２に引っ掛かるようにする。次に、トレイ１１を支持具１４に対し前後方向にスライドさせ、送風口Ｄに対してトレイ１１を所望の位置に配置する。その結果として、送風口Ｄから吹き出される空気の温度をトレイ１１の内部の氷によって冷やすことができる。【選択図】図１
2013024481.tif 000002
【特許請求の範囲】
【請求項１】
液体を受ける容器であるトレイと、
前記トレイを前記エアーコンディショナーに吊り下げるための紐状体であって、中腹部が前記エアーコンディショナーの上面上に載置され、一方の端部が前記エアーコンディショナーの左側方を通って前記エアーコンディショナーより下方に垂れ下がった状態で前記トレイの左右方向の左側半分のいずれかの位置において前記トレイに連結され、当該一方の端部と異なる他方の端部が前記エアーコンディショナーの右側方を通って前記エアーコンディショナーより下方に垂れ下がった状態で前記トレイの左右方向の右側半分のいずれかの位置において前記トレイに連結される紐状体である吊り下げ紐と、
前記エアーコンディショナーの上面上、左側面上および右側面上の少なくともいずれかに配置され、前記吊り下げ紐の前後方向の移動を抑制するストッパーと、
前記トレイに連結され、前記エアーコンディショナーが取り付けられている壁面に一方の端部が接触し、前記エアーコンディショナーに対する前記トレイの位置を所望の位置に維持するように前記トレイを支持する支持具と
を備える
エアーコンディショナー補助器具。
【請求項２】
前記トレイを、前記支持具における前後方向の所定の範囲内における任意の位置で固定するトレイ位置調整機構を備える
請求項１に記載のエアーコンディショナー補助器具。
【請求項３】
前記支持具は、鉛直方向に対し鋭角をなす斜め上方向に前記トレイを支持する
請求項１または２に記載のエアーコンディショナー補助器具。
【請求項４】
前記トレイは、前記トレイの中に溜まった液体を排出するための開口部である液体排出口と、前記液体排出口を塞ぐ栓とを有する
請求項１乃至３のいずれかに記載のエアーコンディショナー補助器具。
【請求項５】
前記トレイの前後方向の傾斜角を所定の範囲内における任意の傾斜角で固定するトレイ傾斜調整機構を備える
請求項１乃至４のいずれかに記載のエアーコンディショナー補助器具。
【発明の詳細な説明】
【技術分野】
【０００１】
本発明は、エアーコンディショナーとともに用いられて当該エアーコンディショナーの冷却もしくは加湿などの機能を補助する手段に関する。
【背景技術】
【０００２】
従来から屋内を涼しくする手段としてエアーコンディショナーや扇風機が用いられている。
【０００３】
その他の屋内冷却手段としては、次のようなものが提案されている。例えば、特許文献１に開示される簡易クーラーは、空気流入口の後に配置される氷と、当該氷の下側に配置されるファンと、空気流出口とを備えており、持ち運びが可能な簡易な構造によって屋内の空気を冷却することができる。
【０００４】
また、特許文献２に開示される冷房装置は、氷が収納される冷却タンクと、当該冷却タンクを支持する台座とを備えており、当該台座の下部にいるペットなどに冷気を送ることができる。
【先行技術文献】
【特許文献】
【０００５】
【特許文献１】特開２００４−２６４００６号公報
【特許文献２】実登３１６４７１６号公報
【発明の概要】
【発明が解決しようとする課題】
【０００６】
ところで、エアーコンディショナーを補助することによって効率的に屋内を冷却したり加湿したりする手段は、従来あまり提供されてこなかった。
【０００７】
しかし、当該補助を行う手段によってエアーコンディショナーが使用する電力を削減することができるとすれば、当該手段には市場において大きなニーズがある。
【０００８】
そこで、本発明は、簡易な構造によって既設のエアーコンディショナーの冷却もしくは加湿の効率を高め、使用する電力を削減することが可能なエアーコンディショナー補助器具を提供することを目的とする。
【課題を解決するための手段】
【０００９】
本発明は、上記の目的に鑑みて想到されたものであり、
液体を受ける容器であるトレイと、
前記トレイを前記エアーコンディショナーに吊り下げるための紐状体であって、中腹部が前記エアーコンディショナーの上面上に載置され、一方の端部が前記エアーコンディショナーの左側方を通って前記エアーコンディショナーより下方に垂れ下がった状態で前記トレイの左右方向の左側半分のいずれかの位置において前記トレイに連結され、当該一方の端部と異なる他方の端部が前記エアーコンディショナーの右側方を通って前記エアーコンディショナーより下方に垂れ下がった状態で前記トレイの左右方向の右側半分のいずれかの位置において前記トレイに連結される紐状体である吊り下げ紐と、
前記エアーコンディショナーの上面上、左側面上および右側面上の少なくともいずれかに配置され、前記吊り下げ紐の前後方向の移動を抑制するストッパーと、
前記トレイに連結され、前記エアーコンディショナーが取り付けられている壁面に一方の端部が接触し、前記エアーコンディショナーに対する前記トレイの位置を所望の位置に維持するように前記トレイを支持する支持具と
を備える
エアーコンディショナー補助器具を提供する（第１の実施態様）。
【００１０】
また、上記の第１の実施態様において、
前記トレイを、前記支持具における前後方向の所定の範囲内における任意の位置で固定するトレイ位置調整機構を備える
構成を採用してもよい（第２の実施態様）。
【００１１】
また、上記の第１または２の実施態様において、
前記支持具は、鉛直方向に対し鋭角をなす斜め上方向に前記トレイを支持する
構成を採用してもよい（第３の実施態様）。
【００１２】
また、上記の第１乃至３のいずれかの実施態様において、
前記トレイは、前記トレイの中に溜まった液体を排出するための開口部である液体排出口と、前記液体排出口を塞ぐ栓とを有する
構成を採用してもよい（第４の実施態様）。
【００１３】
また、上記の第１乃至４のいずれかの実施態様において、
前記トレイの前後方向の傾斜角を所定の範囲内における任意の傾斜角で固定するトレイ傾斜調整機構を備える
構成を採用してもよい（第５の実施態様）。
【発明の効果】
【００１４】
本発明の第１の実施態様にかかるエアーコンディショナー補助器具によれば、簡易な構造によってエアーコンディショナーの冷却もしくは加湿の効率を高め、使用電力を削減することが可能である。なお、冷却の際には水を入れて凍らせたペットボトルなどがトレイに載せられ、加湿の際には水分を含ませたスポンジなどがトレイに載せられる。
【００１５】
また、本発明の第２の実施態様にかかるエアーコンディショナー補助器具によれば、トレイを支持具に対して前後方向に移動させるとともに固定させることができるので、エアーコンディショナーの送風口から吹き付けられる空気の流れがトレイ内に配置されたペットボトルやスポンジなどに丁度当たるようにすることができる。
【００１６】
また、本発明の第３の実施態様にかかるエアーコンディショナー補助器具によれば、支持具が斜め上方向にトレイを支持するので、トレイおよび当該トレイ内に配置された氷入りペットボトルなどの荷重の一部が支持具を介して壁面にかかるため、エアーコンディショナーにかかる荷重が軽減される。
【００１７】
また、本発明の第４の実施態様にかかるエアーコンディショナー補助器具によれば、例えば凍った水の入ったペットボトルに生じた結露による水を開栓により容易に液体排出口から抜き取ることができ便利である。
【００１８】
また、本発明の第５の実施態様にかかるエアーコンディショナー補助器具によれば、トレイの前後方向の傾きを調整することにより、エアーコンディショナーから出る風がトレイ内のペットボトル等に当たる角度や、ペットボトル等に当たった後に室内に流れる風の方向を望ましい方向に調節することができる。
【図面の簡単な説明】
【００１９】
【図１】図１は、エアーコンディショナーに本発明の一具体例にかかるエアーコンディショナー補助器具を取り付けられた状態を示す正面図である。
【図２】図２は、エアーコンディショナーに本発明の一具体例にかかるエアーコンディショナー補助器具を取り付けられた状態を示す側面図である。
【図３】図３は、本発明の一具体例にかかるエアーコンディショナー補助器具のトレイが支持具と係合される様子を示すための図である。
【発明を実施するための形態】
【００２０】
（実施例）
以下、本発明の一具体例である実施例にかかるエアーコンディショナー補助器具１の構造およびその使用方法を説明する。
【００２１】
図１は、一般家庭の家屋内壁面上に取り付けられている既設のエアーコンディショナーＡに対しエアーコンディショナー補助器具１を取り付けた状態を、エアーコンディショナーＡの正面から見た図である。図２は、同じくエアーコンディショナーＡに対しエアーコンディショナー補助器具１を取り付けた状態を、エアーコンディショナーＡの右側から見た図である。
【００２２】
なお、本願において各要素の左右方向に言及する場合は、ユーザがエアーコンディショナーＡに対向した位置関係で見る際の左右方向を言うものとする。同様に、前後方向に言及する場合は、ユーザがエアーコンディショナーＡに対向した位置関係においてユーザから見て手前に向かう方向を前方向、奥に向かう方向を後方向と言うものする。
【００２３】
エアーコンディショナー補助器具１は、液体を受ける容器であるトレイ１１と、紐状体である吊り下げ紐１２と、エアーコンディショナーＡに掛けられた吊り下げ紐１２がエアーコンディショナーＡの側面上で前後方向にずれることを防止するためのストッパー１３と、トレイ１１を支持する支持具１４とを備えている。
【００２４】
トレイ１１は、氷入りペットボトルＰを４本まで載置することができる容器である。氷入りペットボトルＰは、例えば容量が２リットルのペットボトルに水を入れて凍らせたものである。氷入りペットボトルＰをエアーコンディショナーＡの送風口Ｄ前に配置したトレイ１１の中に載置することにより、エアーコンディショナーＡから送り出される冷風の温度をさらに下げることで、エアーコンディショナーＡの消費電力を節約することができる。
【００２５】
トレイ１１は、その底面のサイズが左右方向の長さ（幅）７０センチメートル×前後方向の長さ（奥行き）２０センチメートルであり、その上面のサイズが左右方向の長さ（幅）７５センチメートル×前後方向の長さ（奥行き）２５センチメートルであり、上下方向の長さ（深さ）が約５センチメートルの上に向かって拡がった概ね直方体形状の中空体であり、その上面のみが開口している。トレイ１１は、例えば、硬くて強度が高いプラスチックから作られている。
【００２６】
トレイ１１は、その底面の下側の右側および左側の各々に、前後方向を長手方向とする２本１対の細長いフランジ１１１が設けられている。これらのフランジ１１１は、その断面が各々「Ｌ」字形および「Ｌ」字を左右反対とした形であり、それらの鍔部とトレイ１１の本体底面との間に形成されるスリットに後述する支持具１４が差し込まれることで、トレイ１１が支持具１４に連結される。
【００２７】
より詳しく説明すると、各々のフランジ１１１は、例えば厚さ１センチメートルの板状体を、その長手方向に平行な直線を折り目に「Ｌ」字に折り曲げた形をしており、「Ｌ」字の縦棒部分の長さが例えば２．２センチメートル、横棒部分の長さが例えば４センチメートルである。２本１対のフランジ１１１において、それらのフランジ１１１は、「Ｌ」字および「Ｌ」字を左右反転させた形の横棒の先端部間が例えば１．４センチメートルの隙間をなすようにトレイ１１の底面下側に配置されている。
【００２８】
また、トレイ１１は、トレイ１１の本体中に溜まった液体を排出するための開口部である液体排出口（図示略）と、当該液体排出口を塞ぐ栓１１２とを有している。トレイ１１の中に氷入りペットボトルＰを配置した場合、結露により生じた水滴がトレイ１１の下部に溜まる。ユーザは栓１１２を開くことで、当該溜まった水を容易に液体排出口から外部に排出することができる。なお、トレイ１１の底面は液体排出口へ向けて緩やかに傾斜しており、当該液体排出口は最も下方の位置に配置されている。その結果として、トレイ１１の底面に溜まった水を当該液体排出口から排出することが容易である。
【００２９】
また、トレイ１１の左側側壁の上部および右側側壁の上部の前後方向における中央部分には、前後方向に細長い孔Ｈが設けられている。孔Ｈのサイズは、例えば前後方向の長さが４．０５センチメートル、上下方向の長さが０．２５センチメートルである。これらの孔Ｈには、以下に説明する吊り下げ紐１２が通されて固定される。その結果、吊り下げ紐１２によるトレイ１１の吊り下げが可能となる。
【００３０】
吊り下げ紐１２は、トレイ１１をエアーコンディショナーＡに吊り下げるための紐状体である。なお、本願において「紐状体」には、ベルト状の平らなものも含まれることとする。
【００３１】
吊り下げ紐１２は、例えばナイロン製のグログランテープである。グログランテープとは、グログラン織という方法で織られたテープであり、例えば金属製のワイヤーベルトなどと比べ軽量であり、その一方で氷入りペットボトルＰの載置されたトレイ１１の荷重を支えるのに十分な引っ張り強度を持つため、エアーコンディショナー補助器具１において採用されている。
【００３２】
吊り下げ紐１２は、例えば、長手方向の長さが２８０センチメートルであり、幅（当該長手方向に垂直な短手方向の長さ）が４センチメートルであり、厚さが０．２センチメートルである。
【００３３】
吊り下げ紐１２は、中腹部がエアーコンディショナーＡの上面に載置され、一方の端部がエアーコンディショナーＡの左側方を通ってエアーコンディショナーＡより下方に垂れ下がり、もう一方の端部がエアーコンディショナーＡの右側方を通ってエアーコンディショナーＡより下方に垂れ下がるようにエアーコンディショナーＡに対し掛けられる。
【００３４】
吊り下げ紐１２の一方の端部は、エアーコンディショナーＡの左側下方においてトレイ１１の左側の孔Ｈに連結され、吊り下げ紐１２のもう一方の端部は、エアーコンディショナーＡの右側下方においてトレイ１１の右側の孔Ｈに連結される。
【００３５】
当該連結は、例えばユーザにより以下のように行われる。
【００３６】
ユーザは、吊り下げ紐１２の左側端部をプラスチック製のコキ１２１の一方の孔から挿入し、コキ１２１の他方の孔から引き出した後、トレイ１１の左側の孔Ｈに通す。さらにユーザは、孔Ｈを通した吊り下げ紐１２の左側端部を再度、コキ１２１の一方の孔から挿入し他方の孔から引き出す。これにより、吊り下げ紐１２の左側端部がコキ１２１により孔Ｈに取り付けられる。ユーザは、吊り下げ紐１２の右側端部を同様の方法でコキ１２１を用いてトレイ１１の右側の孔Ｈに取り付ける。これにより、吊り下げ紐１２の孔Ｈに対する連結が完了する。
【００３７】
ユーザは吊り下げ紐１２に対するコキ１２１の位置を調整することで、吊り下げ紐１２のうちトレイ１１の吊り下げに用いられる部分の長さを調整することができる。その結果、エアーコンディショナーＡに対するトレイ１１の上下方向の位置を調整することができる。
【００３８】
なお、コキ１２１は、いわゆるカクカンの中間部分を横断するように１本の棒状体が設けられているような部品である。
【００３９】
ストッパー１３は、エアーコンディショナーＡの左側面と右側面の各々の上端付近と下端付近の各々に、合計４個取り付けられる。
【００４０】
ストッパー１３は、例えばプラスチックから作られており、ストッパー１３をエアーコンディショナーＡに取り付けるための小台１３１と、吊り下げ紐１２を引っ掛けるためのフック１３２とを有している。
【００４１】
小台１３１は、概ね正方形の板状体であり、そのサイズは、例えば縦方向および横方向の長さが５センチメートル、厚さが０．３センチメートルである。
【００４２】
フック１３２は小台１３１から０．３センチメートルほど垂直に突起した後、小台１３１と平行な面をなすように折れ曲がった形状をした、全体として平板な部材である。なお、この小台１３１とフック１３２との隙間は吊り下げ紐１２を受容するための隙間である。
【００４３】
小台１３１の内側（エアーコンディショナーＡの側面に対向する側）には例えば強力な両面テープが配置されている。ユーザは当該両面テープにより、小台１３１とフック１３２の連結部が手前となるように小台１３１をエアーコンディショナーＡの側面上の適当な位置に取り付ける。
【００４４】
続いてユーザは、上述のようにトレイ１１をその両端に連結した状態の吊り下げ紐１２をエアーコンディショナーＡの上に引っ掛ける。その状態で、エアーコンディショナーＡの左右各々の側面の近辺を通過する吊り下げ紐１２を、エアーコンディショナーＡの側面に取り付けられたストッパー１３の小台１３１とフック１３２の隙間に差し入れる。その結果、吊り下げ紐１２はエアーコンディショナーＡの側面においてストッパー１３によりその前後方向の移動が抑制されることになる。このストッパー１３の役割により、吊り下げ紐１２がエアーコンディショナーＡの上面上から滑り落ちてトレイ１１が落下する、という問題が生じない。
【００４５】
支持具１４はトレイ１１の右側のフランジ１１１に連結される１個と、トレイ１１の左側のフランジ１１１に連結される他の１個の計２個用いられる。これらの支持具１４は、エアーコンディショナーＡに対するトレイ１１の前後方向の位置決めを行うための部材であるとともに、エアーコンディショナーＡにかかるエアーコンディショナー補助器具１の荷重の一部をエアーコンディショナーＡが取り付けられている壁面に担わせる役割を果たす。なお、後者の目的を達するため、支持具１４はトレイ１１を鉛直方向に対し鋭角をなす斜め上方向に支持する形状を有している。
【００４６】
支持具１４は、エアーコンディショナーＡが取り付けられている壁面に接触する背面部１４１と、背面部１４１から前方向へ延伸するＴ字延伸部１４２とを有している。
【００４７】
背面部１４１は正方形の板状体であり、例えば横１０センチメートル×縦１０センチメートル×厚さ１センチメートルである。背面部１４１の背面、すなわち壁に対向する面上には、壁に押しつけられる背面部１４１の跡が壁に付くことを防止するために、例えばウレタン製のスポンジが緩衝材として配置されている。
【００４８】
Ｔ字延伸部１４２は、その長手方向に垂直な面で切った断面の形状が「Ｔ」字形状をなすが、その「Ｔ」字の柱部分（「Ｔ」字の縦棒部分）の長さが背面部１４１から遠ざかるにつれて短くなるような全体形状を有している。その結果、Ｔ字延伸部１４２を側方からみた場合、この「Ｔ」字の柱部分（上下方向の長さ）が壁から離れるにつれて短くなり、全体としてアーチを描くように見える。
【００４９】
Ｔ字延伸部１４２の長手方向の長さは例えば５０センチメートルであり、「Ｔ」字の横棒部分の長さは例えば７センチメートルであり、「Ｔ」字の縦棒部分の長さは、例えば背面部１４１に連結する部分（最も奥側）において７センチメートル、Ｔ字延伸部１４２の先端部分（最も手前側）において１センチメートルである。なお、支持具１４の背面部１４１（上述の緩衝材を除く）およびＴ字延伸部１４２は硬くて強度が高いプラスチックから作られている。
【００５０】
ユーザは、トレイ１１の底面下側の左右位置に各々配置されている２本１対のフランジ１１１により形成されるスリットに左右の背面部１４１のＴ字延伸部１４２を各々差し込む。その状態で、ユーザはＴ字延伸部１４２上においてフランジ１１１をスライドさせて、支持具１４に対するトレイ１１の位置を調整することができる。
【００５１】
以上のような構成を有するエアーコンディショナー補助器具１の使用方法の一例について、以下に簡単に説明する。
【００５２】
ユーザは、まず、エアーコンディショナーＡの大きさに合うように、トレイ１１に取り付けられている吊り下げ紐１２の全長を左右のコキ１２１の位置を移動させることによって調整する。
【００５３】
次に、支持具１４をトレイ１１に取り付けた後、トレイ１１を支持具１４上でスライドさせ、支持具１４により壁に対し突っ張られるトレイ１１がエアーコンディショナーＡの送風口Ｄの下手前あたりとなるように、目測によりその大まかな位置決めを行う。
【００５４】
そして、トレイ１１と、吊り下げ紐１２と、支持具１４のアセンブリを、エアーコンディショナーＡに吊り下げる。具体的には、吊り下げ紐１２の上側部分をエアーコンディショナーＡの上面上に配置して、吊り下げ紐１２が左側面および右側面を通って下方に垂れ下がる状態にし、吊り下げ紐１２がエアーコンディショナーＡの左側面上および右側面上に配置されたストッパー１３のフック１３２に引っ掛かるようにする。
【００５５】
続いて、トレイ１１を支持具１４上において前後方向にスライドさせ、エアーコンディショナーＡの送風口Ｄに対するトレイ１１の位置調整を行う。その際、トレイ１１およびその上に載置される氷入りペットボトルＰがエアーコンディショナーＡの送風口Ｄから吹き出される空気の流れを滞らせず、かつ氷入りペットボトルＰにその空気の流れがよく当たるように位置調整を行う。これにより、エアーコンディショナーＡに対するエアーコンディショナー補助器具１の設置が完了する。
【００５６】
ユーザは、予め準備しておいた氷入りペットボトルＰを４本、トレイ１１の上に載せた後、エアーコンディショナーＡの運転を開始する。エアーコンディショナーＡから送り出される冷風は氷入りペットボトルＰに当たってさらに冷却される。その結果、室内の気温がエアーコンディショナーＡの設定温度以下に下がり、氷入りペットボトルＰをトレイ１１に載置しない場合と比較してエアーコンディショナーＡの運転に要する電力を節約することができる。
【００５７】
なお、氷入りペットボトルＰの準備、すなわち水を入れたペットボトルを冷凍庫で凍らせる際において電力を要するが、例えば夜間のように余剰電力があり、電気料金も日中に比べ安価な時間帯にその冷凍を行えば、全体として電力の効率的な使用および電気料金の節約が達成されることになる。
【００５８】
ところで、上述したように、支持具１４は鉛直方向に対し斜め上方向の角度でトレイ１１を支持する。より詳しく説明すると、Ｔ字延伸部１４２はその断面の「Ｔ」字形状の縦棒部分により壁面を斜め下方向に押圧し、その反作用として壁から受ける斜め上方向の抗力によりトレイ１１を支持する。この斜め上方向の抗力に含まれる鉛直方向成分は、トレイ１１を下方から上に持ち上げる力として働き、その結果、エアーコンディショナーＡにかかるトレイ１１の荷重が軽減される。そのため、エアーコンディショナーＡが壁に取り付けられている部分に過度の荷重がかかることが防止され、望ましい。
【００５９】
（変形例）
上述した実施例は本発明の技術的思想の範囲内において様々に変形が可能である。以下にそれらの変形の例を示す。
【００６０】
上述した実施例の説明においては、エアーコンディショナー補助器具１をエアーコンディショナーＡの冷房機能の補助のために用いる場合に関し述べたが、エアーコンディショナー補助器具１をエアーコンディショナーＡの暖房機能の補助のために用いてもよい。
【００６１】
具体的には、トレイ１１の上に、氷入りペットボトルＰに代えて、例えばお湯を入れたペットボトルを載置する。その状態でエアーコンディショナーＡを暖房モードで運転する。
【００６２】
その結果、エアーコンディショナーＡから送り出される温風は高温のペットボトルに当たってさらに加温される。その結果、室内の気温がエアーコンディショナーＡの設定温度以上に上がり、お湯入りのペットボトルをトレイ１１に載置しない場合と比較してエアーコンディショナーＡの運転に要する電力を節約することができる。
【００６３】
また、トレイ１１に、例えば水を含ませたスポンジを載置することにより、エアーコンディショナーＡに加湿機能を追加させることもできる。
【００６４】
その場合、エアーコンディショナーＡの送風口Ｄからトレイ１１の中のスポンジに向けて吹き付けられる風により、スポンジに含まれる水分がスポンジの上面および内部の小孔から水蒸気として蒸発し、屋内の空気の乾燥を防ぐことができる。
【００６５】
さらに、上述したエアーコンディショナー補助器具１の使用の際、トレイ１１に揮発性の芳香剤や除菌剤等を入れることで、エアーコンディショナーＡの運転に伴い、室内を芳香で満たしたり、室内の除菌を行ったりすることもできる。
【００６６】
また、上述したエアーコンディショナー補助器具１の各構成要素を特定する数値、形状、素材、個数、位置などはあくまでも一例であって、特に問題がなければその他の数値、形状、素材、個数、位置などが用いられてもよい。
【００６７】
例えば、トレイ１１に載置するボトルはペット素材のものに限られず、例えばアルミ製のボトルなどでもよい。また、ペットボトルやアルミ製ボトルのように形状が固定された容器に限られず、ビニルバッグのような可撓性の容器にロックアイスを入れたものをトレイ１１に載置したり、ロックアイスを容器に入れずに直接、トレイ１１に載置したりしてもよい。また、冷凍した保冷剤をトレイ１１に載置するなど、トレイ１１に載置するものはエアーコンディショナーからの冷風よりも低温のものであれば様々なものが利用可能である。この点は、エアーコンディショナー補助器具１を暖房機能の補助に用いる場合も同様である。
【００６８】
また、ストッパー１３はエアーコンディショナーＡの左右両側面上の各々において上端付近と下端付近の各々に合計４個設けられているものとしたが、これは本発明を限定するものではない。したがって、例えば、ストッパー１３は、エアーコンディショナーＡの左右両側面上には設けられずに、エアーコンディショナーＡの上面上の左右の両端付近に合計２個設けられてもよい。
【００６９】
また、トレイ１１は２リットルの氷入りのペットボトルを４本まで配置することができる容器であるものとしたが、本発明はこれに限定されるものではなく、トレイ１１はいかなる形状、サイズおよび個数の冷却用のもしくは加湿用の媒体が配置されるものであってもよい。
【００７０】
また、吊り下げ紐１２はナイロン製のグログランテープであるものとしたが、本発明はこれに限定されるものではなく、その強度が十分であれば、グログランテープ以外のいかなる素材によって作られていてもよい。
【００７１】
また、吊り下げ紐１２は中腹部がエアーコンディショナーＡの上面に載置され、端部の各々がトレイ１１の左右両側面の奥行きの略中間で略上端の部分に連結されているものとしたが、本発明はこれに限定されるものではない。したがって、例えば、吊り下げ紐１２はいずれかの部分がエアーコンディショナーＡの両側面のいずれかの位置に吊り下げられていてもよいし、端部の各々がトレイ１１のいずれの位置に連結されていてもよい。
【００７２】
また、吊り下げ紐１２の全長の調整はコキ１２１により行うものとしたが、本発明はこれに限定されるものではなく、他の長さ調整機構が採用されてもよい。
【００７３】
また、トレイ１１と吊り下げ紐１２との連結方法については、上述した方法以外のいかなる方法が用いられてもよい。例えば、トレイ１１の孔Ｈに吊り下げ紐１２の端部を通す代わりに、トレイ１１の右外側面上およぎ左外側面上に左右方向を軸とする軸周りに回動する部材を設け、その部材に吊り下げ紐１２の端部を取り付ける構成が採用されてもよい。その場合、トレイ１１を斜め上方向に支持する吊り下げ紐１２がトレイ１１との連結部において撓むことなく望ましい角度となるため、エアーコンディショナー補助器具１に無理な力がかからない。
【００７４】
また、ストッパー１３は、吊り下げ紐１２の前後方向の移動を抑制するものであれば、上述したもの以外のいかなる構成を採用してもよい。
【００７５】
また、上述したＴ字延伸部１４２およびフランジ１１１の構成は、トレイ１１が支持具１４の上において前後方向の任意の位置で固定可能な構成であれば、他のいかなる構成によって代替されてもよい。
【００７６】
また、エアーコンディショナー補助器具１に、トレイ１１の前後方向の傾斜角度（前後方向の水平面に対する角度）を調整する機構を設けて、エアーコンディショナーＡの送風口Ｄから送り出される風の氷入りペットボトルＰ等に当たった後の流れの方向を調整可能としてもよい。
【００７７】
そのような前後方向の傾斜角度の調整機構の一具体例を以下に示す。まず、トレイ１１のフランジ１１１に相当する部材、すなわち支持具１４のＴ字延伸部１４２に係合し、Ｔ字延伸部１４２上をスライドする部材（以下、「係合部材」と呼ぶ）をトレイ１１の本体から分離して設ける。当該係合部材を、トレイ１１の本体の底面下側に下方に突起するように設けた軸受け部に軸着させる。係合部材には軸受け部に向かい突起するピンを設け、軸受け部には当該ピンに対向する面において軸周りの所定の角度ごとにピンが嵌り込む凹み部を設ける。さらに、当該係合部材には、当該ピンの突起をロックするロック機構を設ける。
【００７８】
ユーザは、上記のような構成の軸受け部に軸着された係合部材を支持具１４のＴ字延伸部１４２に取り付け、その前後方向の位置決めを行った後、上述のロック機構を操作してピンの突起のロックを解除しつつトレイ１１の前後方向の傾斜角度を変更するようにトレイ１１に対し力を加える。当該力に応じて、トレイ１１が軸受け部の軸周りに回動する。ユーザは、トレイ１１が望ましい傾斜角度になった時、ロック機構を操作してピンの突起をロックする。これにより、ピンが軸受け部の最寄りの凹み部に嵌り込み、トレイ１１の軸周りの位置が固定される。これにより、トレイ１１の前後方向の傾斜角度の調整が完了する。
【産業上の利用可能性】
【００７９】
本発明のエアーコンディショナー補助器具は、簡易な構造によって屋内を効率的に冷却もしくは加湿することができるというメリットを有し、広く一般消費者に利用され得るため、大量に製造・販売され、いわゆる製造業や小売業などのサービス業において利用可能である。
【符号の説明】
【００８０】
１…エアーコンディショナー補助器具、１１…トレイ、１１１…フランジ、１１２…栓、１２…吊り下げ紐、１２１…コキ、１３…ストッパー、１３１…小台、１３２…フック、１４…支持具、１４１…背面部、１４２…Ｔ字延伸部
【図１】
2013024481.tif 000003
【図２】
2013024481.tif 000004
【図３】
2013024481.tif 000005